(57)【特許請求の範囲】
【請求項１】
背板（１１）の両側部に折目を介して順に外側板（１２）、内側板（１３）を設け、両内側板（１３）の外端から平行間隔で水平方向に複数の差込み溝（１４）を形成し、さらに両外側板（１２）の上端部に折目を介して補強舌片（１６）を設けた本体（１）と、
上板（２１）に折目を介して下板（２２）を設け、上板（２１）の両側部に折目を介して上向き片（２３）を設け、下板（２２）の両側部に折目を介して下向き片（２４）を設けた複数の棚（２）と、
外板（３１）の後端部に折目を介して差込み片（３２）を設け、外板（３１）の前端部に折目を介して内板（３３）を設け、外板（３１）の両側部に折目を介して補強翼片（３４）を設け、内板（３３）の両側部に折目を介して差込み片（３５）を設けた天板（３）と、
外板（４１）の後端部に折目を介して差込み板（４２）を設け、外板（４１）の前端部に折目を介して内板（４３）を設け、外板（４１）の両側部に折目を介して補強翼片（４４）を設け、内板（４３）の両側部に折目を介して差込み片（４５）を設けた底板（４）とが、それぞれ厚紙で作製されており、
これら本体（１）、棚（２）、天板（３）、底板（４）が、各折目から折り曲げられており、
前記本体（１）の内側板（１３）の複数の差込み溝（１４）に、複数の棚（２）の上板（２１）及び下板（２２）が差し込まれており、本体（１）の外側板（１２）と内側板（１３）の間に複数の棚（２）の上板（２１）の上向き片（２３）及び下板（２２）の下向き片（２４）がそれぞれ挟み込まれており、さらに前記外側板（１２）の補強舌片（１６）が折目から谷折りにされた状態にしており、
前記天板（３）の差込み片（３５）が、前記本体（１）の外側板（１２）と内側板（１３）の間に挟み込まれていると共に、前記天板（３）の差込み片（３２）が、前記本体（１）の背板（１１）の内側に差し込まれており、
前記底板（４）の差込み片（４５）が、前記本体（１）の外側板（１２）と内側板（１３）の間に挟み込まれていると共に、前記底板（４）の差込み片（４２）が、前記本体（１）の背板（１１）の内側に差し込まれていることにより、
前記天板（３）と前記棚（２）の間、前記棚（２）どうしの間、前記棚（２）と前記底板（４）の間に、それぞれ収納部（Ｓ）が形成されていることを特徴とする組立て家具。
【請求項２】
前記収納部（Ｓ）に引出し（５）が摺動自在に挿入されていることを特徴とする請求項１記載の組立て家具。
【請求項３】
前記棚（２）の上板（２１）と下板（２２）間に棚用補強板（７）が挟み込まれていることを特徴とする請求項１又は２記載の組立て家具。
【請求項４】
前記天板（３）の外板（３１）と内板（３３）の間に天板用補強板（６）が挟み込まれていることを特徴とする請求項１〜３の何れかに記載の組立て家具。
【請求項５】
前記棚（２）どうしの間の収納部（Ｓ）に収納部用補強板（８）が嵌め込まれていることを特徴とする請求項１〜４の何れかに記載の組立て家具。
【発明の詳細な説明】
【技術分野】
【０００１】
この発明は、段ボールなどの厚紙で作製された組立て家具に関するものである。
【背景技術】
【０００２】
従来、この種の組立て家具は、例えば図１７に示したように、段ボールからなる背板６１の両側端に連設した側板６２を折目から折り曲げ、これら両側板６２には複数の差込み溝６３を平行間隔で水平方向に形成したものとし、これら両側板６２の差込み溝６３のそれぞれ間に、段ボールからなる複数の棚板６４を差し込んだものとして、これら複数の棚板４４間に収納空間Ｓを設けた収納棚としたものが存在する（非特許文献１）。
【０００３】
このようにした従来の組立て家具は、前記収納空間Ｓにそれぞれ引出し（図示せず）を摺動自在に挿入したものとすれば、引出しタンスにすることもできる。
【０００４】
さらに、この種の組立て家具は、例えば図１８に示したように、紙製の背板７１の両側端に連設した側板７２を折目から折り曲げ、これら両側板７２には複数の差込み孔７３を平行間隔で水平方向に形成したものとし、これら両側板７２の差込み孔７３の間にそれぞれ紙製の複数の棚板７４を差し込んだものとし、これら複数の棚板７４間に収納空間を設け、これら収納空間にそれぞれ引出し７５を摺動自在に挿入して引出しタンスとしたものが存在する（特許文献１）。
【先行技術文献】
【非特許文献】
【０００５】
【非特許文献１】株式会社フーゲツのダンボール家具通販のホ−ムページに記載の「スッキリ収納棚」(http://www.fugetsu-shop.com/goods＿48023500.html)
【特許文献】
【０００６】
【特許文献１】特表２００８−５０１４６９号公報
【発明の概要】
【発明が解決しようとする課題】
【０００７】
上記従来の収納棚や引出しタンスは、段ボールなどの厚紙で作製されており、組立て、分解が可能であるので、取り扱いや運搬が容易であり、安価であると共に廃棄費用が余りかからないという利点を有していた。
【０００８】
しかしながら、上記従来の収納棚や引出しタンスは、側板の差込み溝や差込み孔に棚板を単に差し込んでいるだけであるので、組立てが簡単であるものの、強度性に欠けるという問題点を有していた。また、この問題点を解決するために、使用する段ボールを分厚いものにすると、嵩が高くなったり、重くなったりするという別の問題点が生じてしまうことになる。
【０００９】
さらに、上記従来の収納棚や引出しタンスは、側板の差込み溝や差込み孔に差し込んだ棚板の両端が側板から突出しているので、邪魔になったり、体裁が悪いという問題点を有していた。
【００１０】
そこで、この発明は、上記従来の問題点を解決することをその課題としており、段ボールなどの厚紙で作製され、組立て、分解が可能であるうえに、強度性に優れ、しかも棚板の両端が突出することなく、体裁の良い組立て家具を提供することを目的としてなされたものである。
【課題を解決するための手段】
【００１１】
そこで、この発明の組立て家具は、背板１１の両側部に折目を介して順に外側板１２、内側板１３を設け、両内側板１３の外端から平行間隔で水平方向に複数の差込み溝１４を形成し、さらに両外側板１２の上端部に折目を介して補強舌片１６を設けた本体１と、上板２１に折目を介して下板２２を設け、上板２１の両側部に折目を介して上向き片２３を設け、下板２２の両側部に折目を介して下向き片２４を設けた複数の棚２と、外板３１の後端部に折目を介して差込み片３２を設け、外板３１の前端部に折目を介して内板３３を設け、外板３１の両側部に折目を介して補強翼片３４を設け、内板３３の両側部に折目を介して差込み片３５を設けた天板３と、外板４１の後端部に折目を介して差込み板４２を設け、外板４１の前端部に折目を介して内板４３を設け、外板４１の両側部に折目を介して補強翼片４４を設け、内板４３の両側部に折目を介して差込み片４５を設けた底板４とが、それぞれ厚紙で作製されており、これら本体１、棚２、天板３、底板４が、各折目から折り曲げられており、前記本体１の内側板１３の複数の差込み溝１４に、複数の棚２の上板２１及び下板２２が差し込まれており、本体１の外側板１２と内側板１３の間に複数の棚２の上板２１の上向き片２３及び下板２２の下向き片２４がそれぞれ挟み込まれており、さらに前記外側板１２の補強舌片１６が折目から谷折りにされた状態にしており、前記天板３の差込み片３５が、前記本体１の外側板１２と内側板１３の間に挟み込まれていると共に、前記天板３の差込み片３２が、前記本体１の背板１１の内側に差し込まれており、前記底板４の差込み片４５が、前記本体１の外側板１２と内側板１３の間に挟み込まれていると共に、前記底板４の差込み片４２が、前記本体１の背板１１の内側に差し込まれていることにより、前記天板３と前記棚２の間、前記棚２どうしの間、前記棚２と前記底板４の間に、それぞれ収納部Ｓが形成されているものとしている。
【００１３】
さらに、この発明の組立て家具は、前記収納部Ｓに摺動自在に引出し５を挿入したものとしている。
【００１４】
また、この発明の組立て家具は、前記棚２の上板２１と下板２２間に棚用補強板７を挟み込んだものとしている。
【００１５】
さらに、この発明の組立て家具は、前記天板３の外板３１と内板３３の間に天板用補強板６を挟み込んだものとしている。
【００１６】
また、この発明の組立て家具は、前記棚２どうしの間の収納部Ｓに収納部用補強板８を嵌め込んだものとしている。
【発明の効果】
【００１７】
この発明の組立て家具は、以上に述べたように構成されているので、段ボールなどの厚紙で作製されており、組立て、分解が可能であるので、取り扱いや運搬が容易であり、安価であると共に廃棄費用が余りかからないものとなった。
【００１８】
さらに、この発明の組立て家具は、使用する段ボールなどの厚紙を特に分厚いものにしなくても、強度性にすぐれ、嵩が高くなったり、重くなったりすることもなくなった。
【００１９】
また、この発明の組立て家具は、棚板の両端が突出することなく、体裁の良いものとなった。
【図面の簡単な説明】
【００２０】
【図１】この発明の組立て家具の本体の展開図である。
【図２】この発明の組立て家具の棚の展開図である。
【図３】この発明の組立て家具の天板の展開図である。
【図４】この発明の組立て家具の底板の展開図である。
【図５】この発明の組立て家具の引出しの平面図である。
【図６】この発明の組立て家具の天板の補強板の平面図である。
【図７】この発明の組立て家具の棚の補強板の平面図である。
【図８】この発明の組立て家具の収納部の補強板の平面図である。
【図９ａ】この発明の組立て家具の棚の組み立て順序を示す説明図である。
【図９ｂ】この発明の組立て家具の棚の組み立て順序を示す説明図である。
【図１０ａ】この発明の組立て家具の本体と棚の組み立て順序を示す説明図である。
【図１０ｂ】この発明の組立て家具の本体と棚の組み立て順序を示す説明図である。
【図１１】この発明の組立て家具の天板を折り曲げた状態を示す斜視図である。
【図１２ａ】この発明の組立て家具の本体と天板の組み立て順序を示す説明図である。
【図１２ｂ】この発明の組立て家具の本体と天板の組み立て順序を示す説明図である。
【図１２ｃ】この発明の組立て家具の本体と天板の組み立て順序を示す説明図である。
【図１２ｄ】この発明の組立て家具の収納部に補強板を嵌め込む状態を示す説明図である。
【図１３】図１２ｄ中のＡ−Ａ線によるこの発明の組立て家具の断面図である。
【図１４】図１２ｄ中のＢ−Ｂ線によるこの発明の組立て家具の断面図である。
【図１５】この発明の組立て家具の組み立て状態を示す斜視図である。
【図１６ａ】この発明の組立て家具の引出しの組み立て順序を示す説明図である。
【図１６ｂ】この発明の組立て家具の引出しの組み立て順序を示す説明図である。
【図１７】従来の組立て家具の一例を示す斜視図である。
【図１８】従来の組立て家具の他の例を示す斜視図である。
【発明を実施するための形態】
【００２１】
以下、この発明の組立て家具の実施の形態を、図面に基づいて詳細に説明する。
【００２２】
この発明の組立て家具は、図１〜４に示したような、それぞれを厚紙で作製した本体１、複数の棚２、天板３、底板４から構成され、これらを折り曲げ、組み立てたものとしている。さらに、この発明の組立て家具は、前記構成部材に加えて、図５〜８に示したような、複数の引出し５、天板用補強板６、複数の棚用補強板７、複数の収納部用補強板８から構成され、これらを折り曲げ、組み立てたものとしている。なお、天板３と底板４の外側面には、撥水加工を施して、防水性や防汚性に優れたものにするのが好ましい。
【００２３】
前記厚紙は、段ボール、ボール紙、白板紙、ケント紙などとするができるが、段ボールとするのが、強度性、耐久性、取扱い面、加工面などにおいて好ましいものとなる。また段ボールは、強化段ボールを用いて、強度性や耐久性により優れたものにするのが好ましい。
【００２４】
前記本体１は、展開した状態において、背板１１の両側部に折目を介して順に外側板１２、内側板１３を設け、両内側板１３の外端から平行間隔で水平方向に複数の差込み溝１４を形成している。さらに、背板１１の上下端部には、折目を介して補強舌片１５を設けたものとし、両外側板１２の上下端部にも、折目を介して補強舌片１６を設けたものとしている。なお、背板１１と補強舌片１５の間の折目は、後に述べる天板用補強板６を挟み込む隙間があくように二列にしている。また、背板１１の中央垂直方向には、運搬時などに嵩を低くするのに折り畳んでおくための折目を形成したものとしている。
【００２５】
前記棚２は、展開した状態において、上板２１に折目を介して下板２２を設け、上板２１の両側部に折目を介して上向き片２３を設け、下板２２の両側部に折目を介して下向き片２４を設けている。なお、上板２１と下板２２の間の折目は、後に述べる棚用補強板７を挟み込む隙間があくように二列にしている。
【００２６】
前記天板３は、展開した状態において、外板３１の後端部に折目を介して差込み片３２を設け、外板３１の前端部に折目を介して内板３３を設け、外板３１の両側部に折目を介して補強翼片３４を設け、内板３３の両側部に折目を介して差込み片３５を設けている。なお、外板３１と内板３３の間の折目は、後に述べる天板用補強板６を挟み込む隙間があくように二列にしている。
【００２７】
前記底板４は、展開した状態において、外板４１の後端部に折目を介して差込み板４２を設け、外板４１の前端部に折目を介して内板４３を設け、外板４１の両側部に折目を介して補強翼片４４を設け、内板４３の両側部に折目を介して差込み片４５を設けている。なお、外板４１と内板４３の間の折目も、必要に応じて底板用補強板（図示せず）を挟み込む隙間があくように二列にしている。
【００２８】
前記引出し５は、展開した状態において、底板５１の前端部に折目を介して順に外前板５２、内前板５３を設け、底板５１の後端部に折目を介して順に外後板５４、内後板５５を設け、底板５１の両側部に折目を介して順に外側板５６、内側板５７を設けている。外前板５２及び内前板５３の中央部には、手差し孔ｈを設けている。両外側板５６の前後端部には、折目を介して補強翼片５８を設けている。なお、外側板５６と内側板５７の間の折目は、補強翼片５８を挟み込む隙間があくように二列にしている。
【００２９】
前記天板用補強板６は、天板３の外板３１及び内板３３とほぼ同じか一廻り程度小さく形成しており、棚用補強板７は、棚２の上板２１及び下板２２とほぼ同じか一廻り程度小さく形成しており、収納部用補強板８は、後に述べる収納部Ｓの幅方向の縦断面形状とほぼ同じに形成している。
【００３０】
これらの構成部材からなるこの発明の組立て家具は、次のようにして組み立てるものとしている。
【００３１】
先ず、図９ａ〜９ｃに示したように、棚２の上板２１と下板２２を折目から折り畳んで重ね合わせ、上向き片２３及び下向き片２４を折目から谷折りして立ち上がらせる。このとき、上板２１と下板２２の間には、棚用補強板７を挟み込んでおくことができる。棚２は、上板２１と下板２２を重ね合わせることにより、強度性に優れたものになっているが、上板２１と下板２２の間に前記棚用補強板７を挟み込んでおくと、さらに強度性に優れたものにすることができる。
【００３２】
次に、図１０ａ、１０ｂに示したように、本体１の外側板１２を折目から谷折りして立ち上がらせ、内側板１３を折目から折り畳んで外側板１２に重ね合わせる。このとき、内側板１３の複数の差込み溝１４に、前記棚２の上板２１及び下板２２を差し込んで、本体１の外側板１２と内側板１３の間に前記棚２の上板２１の上向き片２３及び下板２２の下向き片２４をそれぞれ挟み込む。さらに、本体１の外側板１２の補強舌片１６を折目から谷折にした状態にし、本体１の背板１１の補強舌片１５を折目から折り畳んで背板１１に重ね合わせておく。
【００３３】
そして、図１１に示したように、天板３の内板３３を折目から山折りした状態にし、内板３３の差込み片３５を折目から谷折りして立ち上がらせた状態にしておく。この場合、補強翼片３４も後で折り畳み易くするために、折目から山折りした状態にしておく。このようにした差込み片３５を、図１２ａ〜１２ｃに示したように、本体１の外側板１２と内側板１３の間に挟み込むと共に、天板３の差込み片３２を折目から山折りした状態にし、天板３の外板３１を内板３３に重ね合わせて、差込み片３２を本体１の背板１１の内側に差し込む。このとき、本体１の外側板１２の谷折りにした状態の補強舌片１６を逆に折目から山折りした状態にし、天板３の外板３１の山折りにした補強翼片３４をさらに折目から折り畳んで天板３に重ね合わせておく。このとき、天板３の外板３１と内板３３の間には、天板用補強板６を挟み込んでおくことができる。天板３は、外板３１と内板３３を重ね合わせることにより、強度性に優れたものになっているが、外板３１と内板３３の間に前記天板用補強板６を挟み込んでおくと、さらに強度性に優れたものにすることができる。
【００３４】
さらに、図示していないが、底板４の差込み片４５を、前記天板３の場合と同様にして、本体１の外側板１２と内側板１３の間に挟み込むと共に、底板４の差込み片３２を、前記天板３の場合と同様にして、本体１の背板１１の内側に差し込む。なお、底板４の外板４１と内板４３の間にも、必要に応じて、底板用補強板（図示せず）を挟み込んでおくことができる。底板４は、組立て家具を設置しておく場合、設置面に接触したものとなるので、棚２や天板３ほど強度性は必要としないので、外板４１と内板４３の間には、底板用補強板（図示せず）を挟み込んでおかなくてもよい。
【００３５】
以上のようにすれば、天板３と棚２の間、棚２どうしの間、棚２と底板４の間には、それぞれ収納部Ｓが形成され、収納棚となる。なお、棚２どうしの間の収納部Ｓには、図１２ｄに示したように、収納部用補強板８を嵌め込んでおくことができる。
【００３６】
さらに、前記収納部Ｓに摺動自在に引出し５を挿入したものとすれば、図１５に示したように、引出しタンスとなる。引出し５は、図１６ａ、１６ｂに示したように、内側板５７を折目から折り畳んで外側板５６に重ね合わせ、外側板５６を折目から谷折りして立ち上がらせ、補強翼片５８を折目から山折りした状態にし、外前板５２及び外後板５４を折目から谷折りして立ち上がらせ、内前板５３及び内後板５５を折目から折り畳んで、外前板５２及び外後板５４に重ね合わせ、外前板５２と内前板５３の手差し孔ｈには、手差し孔カバー５９を嵌め込んだものとしている。なお、引出し５は、段ボールなどの厚紙で作製されたものであれば、どのような構造のものでもよい。また、前記引出し５の外前板５２には、布や色紙、シ−ル、カラーテープを貼ったり、絵を描いたりして、使用者の気に入ったデザインにすることができる。
【００３７】
この発明の組立て家具は、以上に述べたように段ボールなどの厚紙で作製されており、組立て、分解が可能であるので、取り扱いや運搬が容易であり、安価であると共に廃棄費用が余りかからないものとなる。
【００３８】
さらに、この発明の組立て家具は、段ボールなどの厚紙で作製されており、各所を折り重ね構造にすると共に、各所に補強板を挟み込んだものにしているので、使用する段ボールなどの厚紙を特に分厚いものにしなくても、強度性にすぐれ、嵩が高くなったり、重くなったりすることもなくなる。
【００３９】
また、この発明の組立て家具は、棚２の両端が本体１の両外側板１２の外に突出することもないので、体裁の良いものとなる。
【符号の説明】
【００４０】
１  本体
２  棚
３  天板
４  底板
５  引出し
６  天板用補強板
７  棚用補強板
８  収納部用補強板
１１  背板
１２  外側板
１３  内側板
１４  差込み溝
２１  上板
２２  下板
２３  上向き片
２４  下向き片
３１  外板
３２  差込み片
３３  内板
３４  補強翼片
３５  差込み片
４１  外板
４２  差込み片
４３  内板
４４  補強翼片
４５  差込み片
Ｓ    収納部
【図１】
0005954559.tif 000002
【図２】
0005954559.tif 000003
【図３】
0005954559.tif 000004
【図４】
0005954559.tif 000005
【図５】
0005954559.tif 000006
【図６】
0005954559.tif 000007
【図７】
0005954559.tif 000008
【図８】
0005954559.tif 000009
【図９ａ】
0005954559.tif 000010
【図９ｂ】
0005954559.tif 000011
【図１０ａ】
0005954559.tif 000012
【図１０ｂ】
0005954559.tif 000013
【図１１】
0005954559.tif 000014
【図１２ａ】
0005954559.tif 000015
【図１２ｂ】
0005954559.tif 000016
【図１２ｃ】
0005954559.tif 000017
【図１２ｄ】
0005954559.tif 000018
【図１３】
0005954559.tif 000019
【図１４】
0005954559.tif 000020
【図１５】
0005954559.tif 000021
【図１６ａ】
0005954559.tif 000022
【図１６ｂ】
0005954559.tif 000023
【図１７】
0005954559.tif 000024
【図１８】
0005954559.tif 000025